(57)【要約】      （修正有）【課題】鞄内の荷物の重量を簡単に調べることができる計量メータ付き手提げハンドルを提供する。【解決手段】鞄用の計量メータ付き手提げハンドル１において、鞄に取付け可能に構成されたベース部２と、持ち手部３であって、持ち手部３の一端部又は両端部が弾性体４を介してベース部２に接続された持ち手部３と、を備え、弾性体４の伸縮運動に連動して持ち手部３が動くことを利用して持ち手部３の端部に付された所定の色をベース部２の陰から出現させることによって、鞄の荷物を含む重量が所定の重量に達したことを知らせることができるように構成されている。【選択図】図７
0003201120.tif 000002
【実用新案登録請求の範囲】
【請求項１】
鞄用の計量メータ付き手提げハンドルにおいて、
鞄に取付け可能に構成されたベース部と、
持ち手部であって、該持ち手部の一端部又は両端部が弾性体を介して上記ベース部に入れ子状に接続された持ち手部と、
を備え、
上記弾性体の伸縮運動に連動して上記持ち手部が動くことを利用して上記持ち手部の端部に付された所定の色を上記ベース部の陰から出現させることによって、上記鞄の荷物を含む重量が所定の重量に達したことを知らせることができるように構成された計量メータ付き手提げハンドル。
【請求項２】
上記ベース部に形成された窓内に所定の色を出現させるように構成された請求項１に記載の計量メータ付き手提げハンドル。
【請求項３】
第１の所定の色を出現させることによって上記鞄の荷物を含む重量が第１の所定の重量に達したことを知らせ、第１の所定の色に加えて或いは代わりに第２の所定の色を出現させることによって上記鞄の荷物を含む重量が第２の所定の重量に達したことを知らせることができるように構成された請求項１又は２に記載の計量メータ付き手提げハンドル。
【請求項４】
上記弾性体がコイルバネであることを特徴とする請求項１〜３のいずれかに記載の計量メータ付き手提げハンドル。
【考案の詳細な説明】
【技術分野】
【０００１】
本考案は、旅行などの際に使用するスーツケースやキャリーケースなどの鞄に備え付けられる手提げ用ハンドルに関し、詳しくは、鞄の使用者が旅客として航空機に搭乗する際に、鞄の荷物を含む重量が無料手荷物許容量の重量を超過したか否かを容易に調べることができる計量メータ付き手提げハンドルに関する。
【背景技術】
【０００２】
昨今は、多くの人が海外への旅行や出張に航空機を利用している。旅行や出張の際に手荷物を運ぶのに利用される鞄としては、キャリーケースやスーツケースなどが主流であり、現地での滞在期間などに応じで所望のタイプのキャリーケースやスーツケースが使用される。
【０００３】
航空機を利用する際には、航空会社が特に認めたものを除き、旅客が客室内に持ち込むことができる手荷物は、一例においては、１０ｋｇ（２２ポンド）を超えないことが条件となっている。また、旅客の手荷物のうち、無料で運送される手荷物の最大許容量のことを無料手荷物許容量といい、搭乗手続のときに無料手荷物許容量を超過していると、超過手荷物料金を徴収されることになっている。
【０００４】
無料手荷物許容量は、旅客が利用するクラスごとに適用される。一例においては、国際線のファーストクラス又はビジネスクラスを利用する場合には、荷物１個当たりの重量が３２ｋｇ（７０ポンド）を超えないことが無料の条件となっており、エコノミークラスを利用する場合には、荷物１個当たりの重量が２３ｋｇ（５０ポンド）を超えないことが無料の条件となっている。
【先行技術文献】
【特許文献】
【０００５】
【特許文献１】特開２００２−２５３３１９号公報
【考案の概要】
【考案が解決しようとする課題】
【０００６】
荷物を含む鞄の重量を簡単に調べることができる計量メータ付き手提げハンドルがあることが望ましい。例えば、航空機を利用する際に、手荷物の重量が無料手荷物許容量を超過しているか否かを容易に知ることができるように構成された鞄用の計量メータ付き手提げハンドルがあると便利である。
【課題を解決するための手段】
【０００７】
本考案の鞄用の計量メータ付き手提げハンドルは、鞄に取付け可能に構成されたベース部と、持ち手部であって、該持ち手部の一端部又は両端部が弾性体を介して上記ベース部に入れ子状に接続された持ち手部と、を備え、上記弾性体の伸縮運動に連動して上記持ち手部が動くことを利用して上記持ち手部の端部に付された所定の色をベース部の陰から出現させることによって、上記鞄の荷物を含む重量が所定の重量に達したことを知らせることができるように構成されていることを特徴とする。
【０００８】
ソフトフレームケース用の計量メータ付き手提げハンドルについては、図１〜図３及び図７に示されるように、柔軟な素材から形成された持ち手部の一端部又は両端部がコイルバネ（弾性体）を介してベース部に接続されている。
【０００９】
好ましくは、ソフトフレームケース用の計量メータ付き手提げハンドルは、図１〜図３及び図７に示されるように、持ち手部の一端がコイルバネを介してベース部に接続されている一方で、持ち手部の他端はベース部に直接接続されている。
【００１０】
重いハードフレームケース用の計量メータ付き手提げハンドルについては、図４、図８及び図９に示されるように、堅牢なコ字形の形状に形成された持ち手部の少なくとも一方の端部がコイルバネ（弾性体）を介してベース部に接続されているとよい。
【００１１】
一実施例においては、第１の所定の色を出現させることによって鞄の荷物を含む重量が第１の重量に達したことを知らせ、さらに第１の所定の色に加えて或いは代わりに第２の所定の色を出現させることによって鞄の荷物を含む重量が第２の重量に達したことを知らせることができるように構成されている。一例においては、第１の重量は、航空機のエコノミークラスを利用する際の無料手荷物許容量（２３ｋｇ）であり、第２の重量は、航空機のファーストクラス又はビジネスクラスを利用する際の鞄の無料手荷物許容量（３２ｋｇ）である。
【００１２】
一実施例においては、ベース部に形成された窓内に、ベース部に入れ子にされた持ち手部の端部に付された所定の色を出現させるように構成されている。第１の重量に関連する第１の所定の色、及び第２の重量に関連する第２の所定の色として、識別性の良い色を採用するとよい。
【００１３】
一実施例においては、上記弾性体がコイルバネであることを特徴とする。
【考案の効果】
【００１４】
本考案の計量メータ付き手提げハンドルによれば、航空機に搭乗する前にキャリーケースやスーツケースの荷物を含む重量を調べることができるので、搭乗する際に、重量オーバーを理由に客室内への持ち込みを断られることや超過手荷物料金の支払いを要求されることがなく、安心して搭乗手続きを行うことができる。
【００１５】
また、本考案の手提げハンドルは、電子機器類を使用することなく鞄（鞄内の荷物を含む）の重量を力学的な機構で測定するものであるため、電子機器類の破損の心配がなく、安心して鞄を使用することができる。
【図面の簡単な説明】
【００１６】
【図１】ソフトフレームケース用の計量メータ付き手提げハンドルの一実施例を示す図。
【図２】図１に示した計量メータ付き手提げハンドルの内部構造の一例を示す図。
【図３】図１に示した計量メータ付き手提げハンドルの動作を示す図。
【図４】ハードフレームケース用の計量メータ付き手提げハンドルの一実施例を示す図。
【図５】図４に示した計量メータ付き手提げハンドルの平面図。
【図６】図４に示した計量メータ付き手提げハンドルの動作を示す図。
【図７】ソフトフレームケース用の計量メータ付き手提げハンドルの他の実施例を示す図。
【図８】ハードフレームケース用の計量メータ付き手提げハンドルの他の実施例を示す図。
【図９】ハードフレームケース用の計量メータ付き手提げハンドルのさらに他の実施例を示す図。
【図１０】（ａ）ソフトフレームケースと（ｂ）ハードフレームケースを示す図。
【考案を実施するための形態】
【００１７】
本考案の計量メータ付き手提げハンドルについて添付の図を参照しつつ以下に詳細に説明する。以下の説明においては、本考案の手提げハンドルが鞄に取り付けられた後には、鞄の重量に本考案の手提げハンドルの重量を含むものとする。
【００１８】
スーツケースやキャリーケースは、概して、骨格となるフレームが軟らかいタイプと硬いタイプの２つのタイプに分類することができる。図１０（ａ）は、２つのシェルの合わせ目が布材などの柔軟素材とジッパーからなるソフトフレームを有する鞄（ケース）５を示す斜視図である。図１０（ｂ）は、アルミニウムやマグネシウムなどの硬質な素材からなるハードフレームを有する鞄（ケース）１０を示す斜視図である。
【００１９】
図１〜図６は、弾性体の伸縮運動に連動する持ち手部の１箇所に付された色を使用者が視認可能となるように出現させることにより、鞄の荷物を含む重量が所定の重量に達したことを鞄の使用者に知らせることができるように構成されている実施例を示す。
【００２０】
図７〜図９は、弾性体の伸縮運動に連動する持ち手部の２箇所に付された色を順次出現させることにより、鞄の荷物を含む重量が第１の所定の重量に達したこと及び第２の所定の重量に達したことを知らせることができるように構成されている実施例を示す。
【００２１】
図１は、ソフトフレームケース用の計量メータ付き手提げハンドルの一実施例を示す。計量メータ付き手提げハンドル１のベース部２は、螺子などを使って鞄の本体に取付けられ得る。また、ベース部２に、穿孔により窓２ｂが形成されている。図１（ａ）は、計量メータ付き手提げハンドル１の一部を切り欠いて示す側面図であり、図１（ｂ）は、計量メータ付き手提げハンドル１の平面図である。
【００２２】
計量メータ付き手提げハンドル１は、弾性体としてコイルバネ４を採用するとよい。コイルバネ４の一方の端部は、ベース部２の支柱２ａに接続されており、他方の端部は、ベース部２内まで延びている持ち手部３の端部３ａに接続されている。コイルバネ４の伸縮運動に連動して持ち手部３の端部３ａが動くことにより、該端部３ａに付された所定の色３ｂがベース部２の窓２ｂを通して視認可能となる。こうして、所定の色３ｂを出現させることにより、鞄の荷物を含む重量が所定の重量に達したことを鞄の使用者に知らせることができる。なお、コイルバネと同様に伸縮運動可能なゴムなどが、コイルバネに代用される場合もある。
【００２３】
図３は、計量メータ付き手提げハンドル１の基本的な動作を示す。図３（ａ）は、本考案の計量メータ付き手提げハンドルを側方から見た断面図であり、鞄５の使用者が計量メータ付き手提げハンドル１の持ち手部３を掴んでいない状態を示している。図３（ａ）に示される状態のときには、図３（ｂ）の平面図に示されるように、ベース部２の窓２ｂ内に所定の色は現れていない。図３（ｃ）は、鞄５の使用者が計量メータ付き手提げハンドル１の持ち手部３を掴んで鞄５を持ち上げて、鞄５と荷物の重量を受けたコイルバネ４が伸びている状態を示す。このとき鞄５の荷物を含む重量が所定の重量に達していれば、図３（ｄ）に示されるように、ベース部２の窓２ｂ内に所定の色３ｂが現れることになる。一実施例においては、所定の色３ｂを出現させることにより、鞄の荷物を含む重量が所定の重量（例えば、２３ｋｇ）に達したことを鞄の使用者に知らせる。
【００２４】
図４は、ハードフレームケース用の計量メータ付き手提げハンドル６の一実施例を示す。図４（ａ）は、計量メータ付き手提げハンドル６の一部を切り欠いて示す側面図であり、図４（ｂ）は、図４（ａ）に示した計量メータ付き手提げハンドル６の外観を示す図である。
【００２５】
図４（ａ）を参照すると、計量メータ付き手提げハンドル６は、コイルバネ９を内蔵しており、コイルバネ９の一端はベース部７の支柱７ａに接続され、コイルバネ９の他端は、持ち手部８の端部８ａに設けられた支柱８ｂに接続されている。このように、持ち手部８の一部を形成する端部８ａは、コイルバネ９の伸縮運動に連動するように構成されている。
【００２６】
図５は、図４に示した本考案の計量メータ付き手提げハンドル６の平面図である。図４（ａ）、図４（ｂ）及び図５はいずれも、鞄の使用者が計量メータ付き手提げハンドル６の持ち手部８を掴んでいない状態を示している。
【００２７】
図６（ａ）は、鞄１０の使用者が計量メータ付き手提げハンドル６の持ち手部８を掴んで鞄１０を持ち上げた状態を示す図である。この実施例においては、荷物を含む鞄１０の重量を受けてコイルバネ９が伸びることに伴い、ベース部７に覆われていた持ち手部８の端部８ａが上昇して露出するように構成されている。鞄１０の使用者が持ち手部８を掴んで持ち上げたときに、荷物を含む鞄１０の重量が所定の重量に達していれば、ベース部７に覆われていた持ち手部８の端部８ａに付された所定の色８ｃが現れるように構成されている。こうして、所定の色８ｃを出現させることによって、鞄１０の荷物を含む重量が所定の重量に達したことを鞄の使用者に知らせることができる。コイルバネのバネ定数を変えることによって、１０ｋｇ、２３ｋｇ、３２ｋｇ等の様々な重量を所定の重量として設定することがでる。なお、鞄の重量とは本考案の手提げハンドルの重量を含む。
【００２８】
図７は、ソフトフレームケース用の計量メータ付き手提げハンドル１の他の実施例を示す。図７（ａ）は、ソフトフレームケース用の計量メータ付き手提げハンドル１を一側方から見た断面図であり、鞄５の使用者が計量メータ付き手提げハンドル１の持ち手部３を掴んでいない状態を示している。図７（ａ）に示される状態のときには、図７（ｂ）の平面図に示されるように、ベース部２の窓２ｂ内に所定の色は現れていない。図７（ｃ）は、鞄５の使用者が計量メータ付き手提げハンドル１の持ち手部３を掴んで鞄５を持ち上げて、鞄５と荷物の重量を受けたコイルバネ４が伸びている状態を示す。このとき鞄５の荷物を含む重量が第１の所定の重量に達していれば、図７（ｄ）に示されるように、ベース部２の窓２ｂ内に第１の所定の色３ｂが現れることになる。こうして、第１の所定の色３ｂを出現させることにより、鞄５の荷物を含む重量がエコノミークラスの無料手荷物許容量（２３ｋｇ）に達したことを鞄の使用者に知らせることができる。また、図７（ｅ）は、使用者が荷物の増えた鞄５を持ち上げて、鞄５と荷物の重量を受けたコイルバネ４がさらに伸びている状態を示す。このとき鞄５の荷物を含む重量が第２の所定の重量に達していれば、図７（ｆ）に示されるように、ベース部２の窓２ｂ内に第２の所定の色３ｃが現れることになる。こうして、第２の所定の色３ｃを出現させることにより、鞄５の荷物を含む重量がファーストクラス又はビジネスクラスの無料手荷物許容量（３２ｋｇ）に達したことを使用者に知らせることができる。
【００２９】
図８は、ハードフレームケース用の計量メータ付き手提げハンドル６の他の実施例を示す。図８（ａ）及び図８（ｂ）図は、鞄１０の使用者が計量メータ付き手提げハンドル６の持ち手部８を掴んでいない状態を示しており、持ち手部８の端部８ａに付された色は現れていない。図８（ｃ）は、鞄１０の使用者が計量メータ付き手提げハンドル６の持ち手部８を掴んで鞄１０を持ち上げた状態を示す。持ち手部８の端部８ａは、コイルバネ９の伸縮運動に連動するように構成されており、コイルバネ９が伸びたことに伴って、ベース部７に覆われていた持ち手部８の端部８ａが上昇して露出している。このとき鞄１０の荷物を含む重量が第１の所定の重量に達していれば、図８（ｃ）に示されるように、持ち手部８の端部８ａに付された第１の所定の色８ｃが現れることになる。こうして、第１の所定の色８ｃを出現させることにより、鞄の荷物を含む重量がエコノミークラスの無料手荷物許容量（２３ｋｇ）に達したことを使用者に知らせることができる。また、図８（ｄ）は、使用者が荷物の増えた鞄１０を持ち上げて、鞄１０と荷物の重量を受けたコイルバネ９がさらに伸びて端部８ａがさらに露出している状態を示す。このとき鞄１０の荷物を含む重量が第２の所定の重量に達していれば、図８（ｄ）に示されるように、持ち手部８の端部８ａに付された第２の所定の色８ｄが続いて現れることになる。こうして、第１の所定の色８ｃと第２の所定の色８ｄを出現させることにより、鞄の荷物を含む重量がファーストクラス又はビジネスクラスの無料手荷物許容量（３２ｋｇ）に達したことを鞄の使用者に知らせることができる。
【００３０】
図９は、ハードフレームケース用の計量メータ付き手提げハンドル６のさらに他の実施例を示す。この実施例においては、鞄１０の使用者は、ベース部７に形成された窓１１を通して持ち手部８の端部８ａに付された所定の色８ｃを視認することにより、鞄１０の荷物を含む重量が所定の重量に達したことを知ることができるように構成されている。図９（ａ）及び図９（ｂ）は、鞄１０の使用者が計量メータ付き手提げハンドル６の持ち手部８を掴んでいない状態を示しており、このときコイルバネ９は少しも伸びていないので、ベース部７の窓１１内に所定の色は現れていない。図９（ｃ）は、鞄の使用者が計量メータ付き手提げハンドル６の持ち手部８を掴んで持ち上げた状態を示す。持ち手部８の端部８ａは、コイルバネ９の伸縮運動に連動するように構成されており、コイルバネ９が伸びたことに伴って、ベース部７に覆われていた持ち手部８の端部８ａが上昇している。このとき鞄１０の荷物を含む重量が第１の所定の重量に達していれば、図９（ｃ）に示されるように、ベース部７の窓１１内に第１の所定の色８ｃが現れることになる。こうして、窓１１内に第１の所定の色８ｃを出現させることにより、鞄の荷物を含む重量がエコノミークラスの無料手荷物許容量（２３ｋｇ）に達したことを鞄の使用者に知らせることができる。また、図９（ｄ）は、使用者が荷物の増えた鞄１０を持ち上げて、鞄１０と荷物の重量を受けたコイルバネ９がさらに伸びて端部８ａがさらに上昇している状態を示す。このとき鞄１０の荷物を含む重量が第２の所定の重量に達していれば、図９（ｄ）に示されるように、ベース部７の窓１１内に第２の所定の色８ｄが現れることになる。こうして、窓１１内に第２の所定の色８ｄを出現させることにより、鞄の荷物を含む重量がファーストクラス又はビジネスクラスの無料手荷物許容量（３２ｋｇ）に達したことを鞄の使用者に知らせることができる。
【符号の説明】
【００３１】
１…計量メータ付き手提げハンドル
２…ベース部
２ａ…支柱
２ｂ…窓
３…持ち手部
３ａ…（持ち手部の）端部
３ｂ…色
３ｃ…色
４…コイルバネ（弾性体）
５…鞄（ソフトフレームケース）
６…計量メータ付き手提げハンドル
７…ベース部
７ａ…支柱
８…持ち手部
８ａ…（持ち手部８の）端部
８ｂ…支柱
８ｃ…色
８ｄ…色
９…コイルバネ（弾性体）
１０…鞄（ハードフレームケース）
１１…窓
１４…キャスタ
１５…キャリーハンドル
【図１】
0003201120.tif 000003
【図２】
0003201120.tif 000004
【図３】
0003201120.tif 000005
【図４】
0003201120.tif 000006
【図５】
0003201120.tif 000007
【図６】
0003201120.tif 000008
【図７】
0003201120.tif 000009
【図８】
0003201120.tif 000010
【図９】
0003201120.tif 000011
【図１０】
0003201120.tif 000012